(57)【特許請求の範囲】
【請求項１】
所定の位置にセットされた用紙に記されている画像を読み取る画像読取手段および前記画像読取手段へ電力を供給する電力供給手段を備える画像処理装置であって、
前記所定の位置に前記用紙がセットされているか否かを検知する用紙セット検知手段と、
前記用紙セット検知手段による検知の結果を記憶する検知結果記憶手段と、
当該画像処理装置に対する所定の操作として、前記画像の読取りを伴うジョブのモードに当該画像処理装置を切り換えるための操作および当該画像処理装置に前記画像を読み取らせるために前記用紙をセットするための操作以外の操作を検知する操作検知手段と、
前記電力供給手段による前記画像読取手段への電力の供給を停止した後に前記操作検知手段によって前記所定の操作が検知された場合に、前記検知結果記憶手段に記憶されている最新の前記検知の結果が前記用紙がセットされていることであり、かつ、当該最新の検知の後に前記画像読取手段によって前記画像が読み取られていなければ、前記電力供給手段に当該供給を再開させる、給電再開制御手段と、
を有することを特徴とする画像処理装置。
【請求項２】
所定の位置にセットされた用紙に記されている画像を読み取る画像読取手段および前記画像読取手段へ電力を供給する電力供給手段を備える画像処理装置であって、
前記所定の位置に前記用紙がセットされているか否かを検知する用紙セット検知手段と、
前記用紙セット検知手段による前記用紙がセットされているか否かの検知の結果を記憶する検知結果記憶手段と、
前記用紙セット検知手段による前記検知の時に当該画像処理装置にログインしているユーザの識別子である第一の識別子を記憶する識別子記憶手段と、
当該画像処理装置に対する所定の操作を検知する操作検知手段と、
前記電力供給手段による前記画像読取手段への電力の供給を停止した後に前記操作検知手段によって前記所定の操作が検知された場合に、前記検知結果記憶手段に記憶されている最新の前記検知の結果が前記用紙がセットされていることであり、かつ、当該供給を停止した後に入力された第二の識別子と前記識別子記憶手段に記憶されている前記第一の識別子のうちの最新のものとが一致すれば、前記電力供給手段に当該供給を再開させる、給電再開制御手段と、
を有することを特徴とする画像処理装置。
【請求項３】
前記所定の操作は、前記画像の読取りを伴うジョブのモードに当該画像処理装置を切り換えるための操作および当該画像処理装置に前記画像を読み取らせるために前記用紙をセットするための操作以外の操作である、
請求項２記載の画像処理装置。
【請求項４】
所定の位置にセットされた用紙に記されている画像を読み取る画像読取手段および前記画像読取手段へ電力を供給する電力供給手段を備える画像処理装置における電力供給方法であって、
前記所定の位置に前記用紙がセットされているか否かを用紙セット検知手段に検知させ、
前記用紙セット検知手段による検知の結果を検知結果記憶手段に記憶させ、
当該画像処理装置に対する所定の操作として、前記画像の読取りを伴うジョブのモードに当該画像処理装置を切り換えるための操作および当該画像処理装置に前記画像を読み取らせるために前記用紙をセットするための操作以外の操作を操作検知手段に検知させ、
前記電力供給手段による前記画像読取手段への電力の供給を停止した後に前記操作検知手段によって前記所定の操作が検知された場合に、前記検知結果記憶手段に記憶されている最新の前記検知の結果が前記用紙がセットされていることであり、かつ、当該最新の検知の後に前記画像読取手段によって前記画像が読み取られていなければ、前記電力供給手段に当該供給を再開させる、
ことを特徴とする電力供給方法。
【請求項５】
所定の位置にセットされた用紙に記されている画像を読み取る画像読取手段および前記画像読取手段へ電力を供給する電力供給手段を備える画像処理装置における電力供給方法であって、
前記所定の位置に前記用紙がセットされているか否かを用紙セット検知手段に検知させ、
前記用紙セット検知手段による前記用紙がセットされているか否かの検知の結果を検知結果記憶手段に記憶させ、
前記用紙セット検知手段による前記検知の時に当該画像処理装置にログインしているユーザの識別子である第一の識別子を識別子記憶手段に記憶させ、
当該画像処理装置に対する所定の操作を操作検知手段に検知させ、
前記電力供給手段による前記画像読取手段への電力の供給を停止した後に前記操作検知手段によって前記所定の操作が検知された場合に、前記検知結果記憶手段に記憶されている最新の前記検知の結果が前記用紙がセットされていることであり、かつ、当該供給を停止した後に入力された第二の識別子と前記識別子記憶手段に記憶されている前記第一の識別子のうちの最新のものとが一致すれば、前記電力供給手段に当該供給を再開させる、
ことを特徴とする電力供給方法。
【発明の詳細な説明】
【技術分野】
【０００１】
本発明は、画像読取手段を備えた装置における省電力モードからの復帰の技術に関する。
【背景技術】
【０００２】
近年、コピー、ＰＣプリント、スキャン、ファックス、およびファイルサーバなどの様々な機能を備えた画像形成装置が普及している。このような画像形成装置は、「複合機」または「ＭＦＰ（Multi Function Peripherals）」などと呼ばれることもある。
【０００３】
また、近年、画像形成装置においても、省電力化が注目されている。そこで、画像形成装置のための省電力の機能が幾つか提案されている。
【０００４】
特許文献１および特許文献２には、省電力モードからの復帰の際に必要最低限の機能に対して電力を供給する装置について、記載されている。特許文献３に記載される装置は、電力の消費を抑制しつつ原稿の有無を検出する。
【先行技術文献】
【特許文献】
【０００５】
【特許文献１】特開２００２−２９０６４０号公報
【特許文献２】特開２００４−２２２２３４号公報
【特許文献３】特開２００８−２２４７２号公報
【発明の概要】
【発明が解決しようとする課題】
【０００６】
特許文献１、２には、上述の通り省電力モードからの復帰の際に必要最低限の機能に対して電力を供給する装置が記載されているが、どのような場合であっても必要最低限の供給ができるとは、限らない。供給を再開する必要があるにも関わらず再開しなければ、ジョブの開始が遅くなってしまうことがある。
【０００７】
本発明は、このような問題点に鑑み、省電力モードからの復帰の際の電力の供給先を従来よりも適切に決定することを、目的とする。
【課題を解決するための手段】
【０００８】
本発明の一形態に係る画像処理装置は、所定の位置にセットされた用紙に記されている画像を読み取る画像読取手段および前記画像読取手段へ電力を供給する電力供給手段を備える画像処理装置であって、前記所定の位置に前記用紙がセットされているか否かを検知する用紙セット検知手段と、前記用紙セット検知手段による検知の結果を記憶する検知結果記憶手段と、当該画像処理装置に対する所定の操作として、前記画像の読取りを伴うジョブのモードに当該画像処理装置を切り換えるための操作および当該画像処理装置に前記画像を読み取らせるために前記用紙をセットするための操作以外の操作を検知する操作検知手段と、前記電力供給手段による前記画像読取手段への電力の供給を停止した後に前記操作検知手段によって前記所定の操作が検知された場合に、前記検知結果記憶手段に記憶されている最新の前記検知の結果が前記用紙がセットされていることであり、かつ、当該最新の検知の後に前記画像読取手段によって前記画像が読み取られていなければ、前記電力供給手段に当該供給を再開させる、給電再開制御手段と、を有する。
【０００９】
本発明の他の一形態に係る画像処理装置は、所定の位置にセットされた用紙に記されている画像を読み取る画像読取手段および前記画像読取手段へ電力を供給する電力供給手段を備える画像処理装置であって、前記所定の位置に前記用紙がセットされているか否かを検知する用紙セット検知手段と、前記用紙セット検知手段による前記用紙がセットされているか否かの検知の結果を記憶する検知結果記憶手段と、前記用紙セット検知手段による前記検知の時に当該画像処理装置にログインしているユーザの識別子である第一の識別子を記憶する識別子記憶手段と、当該画像処理装置に対する所定の操作を検知する操作検知手段と、前記電力供給手段による前記画像読取手段への電力の供給を停止した後に前記操作検知手段によって前記所定の操作が検知された場合に、前記検知結果記憶手段に記憶されている最新の前記検知の結果が前記用紙がセットされていることであり、かつ、当該供給を停止した後に入力された第二の識別子と前記識別子記憶手段に記憶されている前記第一の識別子のうちの最新のものとが一致すれば、前記電力供給手段に当該供給を再開させる、給電再開制御手段と、を有する。
【発明の効果】
【００１０】
本発明によると、省電力モードからの復帰の際の電力の供給先を従来よりも適切に決定することができる。
【図面の簡単な説明】
【００１１】
【図１】画像形成装置の外観の例を示す図である。
【図２】画像形成装置のハードウェア構成の例を示す図である。
【図３】ドキュメントフィーダの開閉の例を示す図である。
【図４】タッチパネルおよびキーボードの例を示す図である。
【図５】画像形成装置の機能的構成の例を示す図である。
【図６】休止解除モジュール決定処理の流れの例を説明するフローチャートである。
【図７】画像形成装置における省電力機能の全体的な処理の流れの例を説明するフローチャートである。
【図８】画像形成装置の機能的構成の変形例を示す図である。
【図９】休止解除モジュール決定処理の流れの変形例を説明するフローチャートである。
【発明を実施するための形態】
【００１２】
〔第一の実施形態〕
図１は画像形成装置１の外観の例を示す図、図２は画像形成装置１のハードウェア構成の例を示す図、図３はドキュメントフィーダ１０ｉの開閉の例を示す図、図４はタッチパネル１０ｇおよびキーボード１０ｈの例を示す図、図５は画像形成装置１の機能的構成の例を示す図である。
【００１３】
図１に示す画像形成装置１は、コピー、ネットワークプリンティング、スキャン、ＦＡＸ、またはドキュメントサーバなどの機能を集約した画像処理装置である。複合機またはＭＦＰ（Multi Function Peripherals）などと呼ばれることもある。
【００１４】
ドキュメントサーバの機能は、「ボックス機能」と呼ばれることがある。この機能によると、パーソナルコンピュータまたはワークステーションなどにおけるディレクトリまたはフォルダに相当する「ボックス」がユーザごとにハードディスクなどの不揮発性の書換え可能な記録装置に設けられる。ユーザは、画像データなどを自分のボックスに保存したり、保存されている画像データを使って印刷を行ったりすることができる。
【００１５】
画像形成装置１は、図１および図２に示すように、ＣＰＵ（Central Processing Unit）１０ａ、ＲＡＭ（Random Access Memory）１０ｂ、ＲＯＭ（Read Only Memory）１０ｃ、不揮発性記憶装置１０ｄ、モデム１０ｅ、ＮＩＣ（Network Interface Card）１０ｆ、タッチパネル１０ｇ、キーボード１０ｈ、ドキュメントフィーダ１０ｉ、スキャナ１０ｊ、排紙トレイ１０ｋ、印刷装置１０ｍ、電源供給部１０ｎのほか、制御用の回路などによって構成される。
【００１６】
モデム１０ｅは、固定電話網を介してＧ３のプロトコルによって他のファックス端末と通信を行う装置である。
【００１７】
ＮＩＣ１０ｆは、いわゆるＬＡＮ（Local Area Network）回線などを介してＴＣＰ／ＩＰ（Transmission Control Protocol/Internet Protocol）によって他の装置と通信を行うための装置である。
【００１８】
ドキュメントフィーダ１０ｉは、読取りの対象の画像が記された１枚または複数枚の用紙をスキャナ１０ｊへ１枚ずつ搬送する。読取りの対象の画像が記された用紙を「原稿」と記載する。
【００１９】
ユーザは、原稿をドキュメントフィーダ１０ｉにセットしてスキャナ１０ｊへ原稿を搬送させることもできるが、ドキュメントフィーダ１０ｉを図３（Ｂ）に示すように持ち上げ、スキャナ１０ｊの原稿台１０ｊｄに直接、原稿をセットすることもできる。以下、図３（Ｂ）に示すようにドキュメントフィーダ１０ｉが持ち上がっている状態を「ドキュメントフィーダ１０ｉが開いている状態」などと記載する。一方、図３（Ａ）に示すように持ち上がっていない状態を「ドキュメントフィーダ１０ｉが閉じている状態」などと記載する。
【００２０】
スキャナ１０ｊは、原稿に記されている写真、文字、絵、または図表などの画像を読み取って、画像データを生成する。
【００２１】
排紙トレイ１０ｋには、ドキュメントフィーダ１０ｉから搬送されスキャナ１０ｊによってスキャンされた原稿が排出される。スキャナ１０ｊに直接セットされた原稿は、排紙トレイ１０ｋへは排出されない。
【００２２】
印刷装置１０ｍは、パーソナルコンピュータまたはファックス端末などから送信されてきた画像データに基づいて用紙に画像を印刷する。また、スキャナ１０ｊによって読み取られた画像を用紙に画像を印刷する。
【００２３】
タッチパネル１０ｇは、ユーザへメッセージを与えるための画面、処理の結果を示す画面、またはユーザが画像形成装置１に対して指示を入力するための画面などを表示する、液晶ディスプレイである。さらに、タッチパネル１０ｇは、タッチされた（押された）位置を検知し、ＣＰＵ１０ａにその位置を通知する。
【００２４】
キーボード１０ｈは、図４に示すように、ファンクションキー、テンキー、およびスタートキーなどのキーを有する、情報および指令をユーザが入力するための装置である。キーが押されると、押されたキーに対応する信号がＣＰＵ１０ａに送信される。これにより、ＣＰＵ１０ａは、押されたキーを検知する。
【００２５】
ファンクションキーとして、ボックスモードに切り換えるためのボックスキー１０ｈａ、スキャンファックスモードに切り換えるためのスキャンファックスキー１０ｈｂ、およびコピーモードに切り換えるためのコピーキー１０ｈｃが設けられている。
【００２６】
ボックスキー１０ｈａが押されると、タッチパネル１０ｇには、ボックスに保存されているデータを使用したり原稿の画像をスキャナ１０ｊに読み取らせて画像データを生成しボックスに保存したりする操作をユーザが行うため画面が表示される。
【００２７】
スキャンファックスキー１０ｈｂが押されると、ファックス送信またはＳｃａｎ＿Ｔｏ＿ＰＣなどの操作をユーザが行うため画面が表示される。なお、「Ｓｃａｎ＿Ｔｏ＿ＰＣ」は、原稿の画像をスキャナ１０ｊに読み取らせて画像データを生成しパーソナルコンピュータへ送信する機能である。また、前述の、原稿の画像をスキャナ１０ｊに読み取らせて画像データを生成しボックスに保存する機能は、「Ｓｃａｎ＿Ｔｏ＿ＢＯＸ」と呼ばれることがある。
【００２８】
コピーキー１０ｈｃが押されると、原稿を他の用紙に複写する処理に関する操作をユーザが行うための画面が表示される。
【００２９】
電源供給部１０ｎは、画像形成装置１を構成する各ハードウェアへ電力を供給する。画像形成装置１には、省電力機能が備わっている。したがって、画像形成装置１が一定時間、操作されないと、画像形成装置１の一部のハードウェアへの給電が停止する。給電の停止は、段階的に行われる。
【００３０】
すべてのハードウェアへ給電されている状態のときに、例えば１５分間、操作が行われない場合は、タッチパネル１０ｇにおける画面の表示が中止され、電力の節約が図られる。以下、すべてのハードウェアへ給電されている状態を「通常モード」と記載し、タッチパネル１０ｇへの給電のみが停止するされている状態を「スタンバイモード」と記載する。
【００３１】
スタンバイモードになった後さらに１５分間、操作が行われない場合は、電源供給部１０ｎは、不揮発性記憶装置１０ｄ、スキャナ１０ｊ、および印刷装置１０ｍへの給電が停止する。以下、このような状態を「スリープモード」と記載する。
【００３２】
不揮発性記憶装置１０ｄは、不揮発性の書換え可能な記憶装置である。不揮発性記憶装置１０ｄとして、ハードディスクまたはフラッシュメモリなどが用いられる。
【００３３】
不揮発性記憶装置１０ｄには、図５に示すような原稿セットフラグ更新部１０１、ジョブフラグ更新部１０２、停止解除モジュール決定部１０３、原稿セットフラグ記憶部１２１、およびジョブフラグ記憶部１２２などの機能を実現するためのプログラムが記憶されている。このプログラムは、ＲＡＭ１０ｂにロードされ、ＣＰＵ１０ａによって実行される。
【００３４】
そのほか、画像形成装置１の各ハードウェアには、次のようなセンサが設けられている。
【００３５】
スキャナ１０ｊには、原稿センサ１０ｊａが設けられている。原稿センサ１０ｊａは、原稿台１０ｊｄに原稿がセットされているか否かを検知する。原稿がセットされている場合は、さらに、原稿のサイズおよび向きを検知する。
【００３６】
ドキュメントフィーダ１０ｉには、開閉センサ１０ｉａおよびセットセンサ１０ｉｂが設けられている。開閉センサ１０ｉａは、ドキュメントフィーダ１０ｉが開けられたことおよび閉じられたことを検知する。セットセンサ１０ｉｂは、ドキュメントフィーダ１０ｉに原稿がセットされたことを検知する。
【００３７】
開閉センサ１０ｉａおよびセットセンサ１０ｉｂは、スリープモードのときにも電力の供給を受けており、検知を行うことができる。キーボード１０ｈも同様に、スリープモードのときにも押されたキーの検知を行うことができる。
【００３８】
図６は休止解除モジュール決定処理の流れの例を説明するフローチャートである。
【００３９】
図５に示す各部は、スリープモードを解除するための処理を行う。以下、図５に示す各部の処理内容などについて、説明する。
【００４０】
原稿センサ１０ｊａ、原稿セットフラグ更新部１０１、およびジョブフラグ更新部１０２は、通常モードのときに次のように動作する。
【００４１】
上述の通り、原稿センサ１０ｊａは、原稿台１０ｊｄに原稿がセットされているか否かを検知するが、特に、ドキュメントフィーダ１０ｉが閉じられたことが開閉センサ１０ｉａによって検知されたタイミングで検知する。
【００４２】
原稿セットフラグ記憶部１２１は、原稿セットフラグ７１を記憶する。原稿セットフラグ７１は、原稿台１０ｊｄに原稿がセットされているか否かを示すフラグであって、「１」であるときはセットされていることを示し、「０」であるときはセットされていないことを示す。
【００４３】
原稿セットフラグ更新部１０１は、原稿台１０ｊｄに原稿がセットされていることが原稿センサ１０ｊａによって検知されたら、原稿セットフラグ７１を「１」に書き換える。また、原稿台１０ｊｄに原稿がセットされていないことが原稿センサ１０ｊａによって検知されたら、原稿セットフラグ７１を「０」に書き換える。
【００４４】
ジョブフラグ記憶部１２２は、ジョブフラグ７２を記憶する。ジョブフラグ７２は、原稿台１０ｊｄに原稿が直接セットされた後にスキャンを伴うジョブが実行されたか否かをフラグである。ジョブフラグ７２が「１」であるときは実行されたことを示し、「０」であるときは実行されていないことを示す。スキャンを伴うジョブとして、例えばコピー、ファックス送信、およびＳｃａｎ＿Ｔｏ＿ＰＣなどが挙げられる。
【００４５】
ジョブフラグ更新部１０２は、原稿セットフラグ７１が「１」であるときにスキャンを伴うジョブが実行されると、ジョブフラグ７２を「１」に書き換える。また、原稿セットフラグ７１が原稿セットフラグ更新部１０１によって「０」に書き換えられると、ジョブフラグ更新部１０２は、ジョブフラグ７２を「０」に書き換える。
【００４６】
画像形成装置１がスリープモードであるときにスリープモードの解除のトリガとなるイベントが生じると、停止解除モジュール決定部１０３による処理が開始される。
【００４７】
このようなイベントとして、例えば、原稿がドキュメントフィーダ１０ｉにセットされたことがセットセンサ１０ｉｂによって検知されたこと、ドキュメントフィーダ１０ｉが開けられまたは閉じられたこと（開閉）が開閉センサ１０ｉａによって検知されたこと、タッチパネル１０ｇがタッチされること、およびキーボード１０ｈの任意のキーが押されことなどが挙げられる。つまり、これらのイベントは、ユーザによる画像形成装置１に対する操作を各センサまたはＣＰＵ１０ａなどが検知することによって生じると、言える。
【００４８】
また、画像形成装置１のハードウェアを直接操作する場合に限らず、遠隔的に操作する場合にも、スリープモードの解除のトリガとなるイベントは生じる。例えば、他の装置から画像データを送信し画像形成装置１に受信させるなどして遠隔的に画像形成装置１を操作する場合にも、「通信」という、イベントが生じる。
【００４９】
停止解除モジュール決定部１０３は、給電の停止を解除するハードウェアを決定する処理を、図６に示す手順で実行する。
【００５０】
ドキュメントフィーダ１０ｉが原稿のセットを検知した場合は、これから原稿のスキャンを伴うジョブが行われると考えられる。開閉センサ１０ｉａがドキュメントフィーダ１０ｉの開閉を検知した場合も、同様である。ボックスキー１０ｈａ、スキャンファックスキー１０ｈｂ、またはコピーキー１０ｈｃが押された場合も、同様である。
【００５１】
そこで、停止解除モジュール決定部１０３は、起動した要因が、ドキュメントフィーダ１０ｉが原稿のセットを検知したこと、開閉センサ１０ｉａがドキュメントフィーダ１０ｉの開閉を検知したこと、およびボックスキー１０ｈａ、スキャンファックスキー１０ｈｂ、またはコピーキー１０ｈｃが押されたことのうちのいずれかである場合は（図６の＃２０１でＹｅｓ、＃２０２でＹｅｓ、または＃２０３でＹｅｓ）、少なくともスキャナ１０ｊへの給電の停止を解除すると決定する（＃２０９）。例えば、給電の停止をすべて解除し通常モードへ復帰すると決定する。
【００５２】
起動した要因がそれら以外のものである場合、つまり、操作が行われたがその操作だけではスキャンを伴うジョブをユーザが行わせようとしているとは未だ推測できない場合は（＃２０１〜＃２０３のすべてでＮｏ）、停止解除モジュール決定部１０３は、原稿セットフラグ７１をチェックする。例えば、タッチパネル１０ｇがタッチされた場合およびキーボード１０ｈのテンキーまたはスタートキーが押された場合に、原稿セットフラグ７１をチェックする。
【００５３】
そして、原稿セットフラグ７１が「０」である場合は（＃２０５でＮｏ）、停止解除モジュール決定部１０３は、スキャナ１０ｊの給電を停止したまま他のいずれかハードウェアの給電の停止を解除すると、決定する（＃２０８）。例えば、スキャナ１０ｊの給電を停止したまま他のすべてのハードウェアへの給電を再開すると、決定する。
【００５４】
原稿セットフラグ７１が「１」である場合は（＃２０５でＹｅｓ）、停止解除モジュール決定部１０３は、さらに、ジョブフラグ７２をチェックする（＃２０６）。そして、ジョブフラグ７２が「１」であれば（＃２０７でＹｅｓ）、スキャナ１０ｊの給電を停止したまま他のハードウェアの給電の停止を解除すると、決定する（＃２０８）。一方、「０」であれば（＃２０７でＮｏ）、少なくともスキャナ１０ｊへの給電の停止を解除すると決定する（＃２０９）。
【００５５】
そして、停止解除モジュール決定部１０３は、決定した通りに各ハードウェアへの電力の供給が再開されるよう電源供給部１０ｎを制御する。
【００５６】
このように、電源供給部１０ｎは、原稿台１０ｊｄに原稿がセットされた後、スキャンを伴うジョブが実行されることなく、原稿がセットされたまま（つまり、原稿の取り忘れの状態）でスリープモードになった場合は、スリープモードを解除する際に、スキャナ１０ｊへの給電を再開する。一方、原稿台１０ｊｄに原稿がセットされた後、スキャンを伴うジョブが実行され、原稿がセットされたままで、スリープモードになった場合は、スリープモードを解除する際、引き続きスキャナ１０ｊへの給電を停止したままにしておく。
【００５７】
図７は画像形成装置１における省電力機能の全体的な処理の流れの例を説明するフローチャートである。
【００５８】
次に、画像形成装置１の省電力機能に関する全体的な処理の流れを、図７のフローチャートを参照しながら説明する。
【００５９】
画像形成装置１は、ドキュメントフィーダ１０ｉが閉じられたことを検知すると（＃１１でＹｅｓ）、原稿台１０ｊｄに原稿がセットされているか否かによって原稿セットフラグ７１を次のようにセットする。原稿台１０ｊｄに原稿がセットされていることを検知した場合は（＃１２でＹｅｓ）、原稿セットフラグ７１を「１」にセットする（＃１３）。一方、原稿台１０ｊｄに原稿がセットされていないことを検知した場合は（＃１２でＮｏ）、原稿セットフラグ７１を「０」にセットする（＃１４）。さらに、ジョブフラグ７２を「０」にセットする（＃１５）。
【００６０】
画像形成装置１は、スキャンを伴うジョブを実行したら（＃１６でＹｅｓ）、ジョブフラグ７２を「１」にセットする（＃１７）。操作のない状態が所定の時間続くと（＃１８）、操作のない状態の時間の長さに応じて、スタンバイモードまたはスリープモードに切り換える（＃１９）。
【００６１】
スタンバイモードまたはスリープモードになったら、画像形成装置１は、解除の条件に該当する操作などのイベントを監視する（＃２０）。そのようなイベントを検知したら（＃２１でＹｅｓ）、給電を再開するハードウェアおよび給電を停止したままにしておくハードウェアを決定し（＃２２）、決定の結果に基づいてスタンバイモードまたはスリープモードを解除する（＃２３）。スタンバイモードを解除する場合については、従来通りであるので、説明を省略する。スリープモードを解除する場合の決定の方法は、前に図６で説明した通りである。
【００６２】
なお、スキャナ１０ｊへの給電を停止したままにしておいても、その後、スキャンを伴うジョブの実行の指令が与えられた場合は、電源供給部１０ｎは、直ちにスキャナ１０ｊへの給電を再開する。
【００６３】
図６のステップ＃２０６において、原稿がセットされたままスキャンを伴うジョブが実行されることなくスリープモードになったか否かを、ジョブフラグ７２の代わりにジョブの実行のログ（履歴）を使用して判別してもよい。
【００６４】
〔第二の実施形態〕
図８は画像形成装置１の機能的構成の変形例を示す図、図９は休止解除モジュール決定処理の流れの変形例を説明するフローチャートである。
【００６５】
第一の実施形態では、スリープモードへの移行後、スキャナ１０ｊへの給電を再開するか否かをジョブフラグ７２に基づいて決定したが、第二の実施形態では、スリープモードの直前のユーザおよび解除時のユーザとの照合の結果に基づいて決定する。
【００６６】
第二の実施形態における画像形成装置１のハードウェア構成は、第二の実施形態の場合と同様であり、図１および図２に示した通りである。ただし、不揮発性記憶装置１０ｄには、図８に示す原稿セットフラグ更新部１３１、セットユーザ識別子更新部１３２、停止解除モジュール決定部１３３、原稿セットフラグ記憶部１４１、およびセットユーザ識別子記憶部１４２などの機能を実現するためのプログラムが記憶されている。
【００６７】
以下、図８に示す各部の処理内容などについて、順次説明する。ただし、第一の実施形態と共通する点については、説明を省略する。
【００６８】
原稿セットフラグ記憶部１４１は、第一の実施形態の原稿セットフラグ記憶部１２１（図５参照）と同様に、原稿セットフラグ７１を記憶する。
【００６９】
原稿セットフラグ更新部１３１は、第一の実施形態の原稿セットフラグ更新部１０１と同様に、原稿台１０ｊｄに原稿がセットされていることが原稿センサ１０ｊａによって検知されたら、原稿セットフラグ７１を「１」に書き換える。また、原稿台１０ｊｄに原稿がセットされていないことが原稿センサ１０ｊａによって検知されたら、原稿セットフラグ７１を「０」に書き換える。
【００７０】
セットユーザ識別子記憶部１４２は、セットユーザ識別子７３を記憶する。セットユーザ識別子７３は、原稿台１０ｊｄに原稿を直接セットしたユーザの識別子（例えば、ユーザＩＤ）である。
【００７１】
セットユーザ識別子更新部１３２は、原稿台１０ｊｄに原稿がセットされたことが原稿センサ１０ｊａによって検知されると、画像形成装置１に現在ログインしているユーザのユーザＩＤをセットユーザ識別子７３としてセットユーザ識別子記憶部１４２に記憶させる。なお、セットユーザ識別子７３がセットユーザ識別子記憶部１４２に既に記憶されている場合つまり古いセットユーザ識別子７３が存在する場合は、それは削除され、画像形成装置１に現在ログインしているユーザのユーザＩＤがセットユーザ識別子７３として新しく記憶される。
【００７２】
停止解除モジュール決定部１３３は、第一の実施形態の停止解除モジュール決定部１０３と同様に、スリープモードの解除のトリガとなるイベントが生じると、給電の停止を解除するハードウェアを決定する処理を実行する。ただし、決定の方法が、第一の実施形態と異なる点がある。以下、第二の実施形態における決定の方法を、図９に示すフローチャートを参照しながら説明する。
【００７３】
図９において、スリープモードの解除のトリガとなるイベントが生じた後、所定の時間が経過するまでにログインの認証が完了した場合は（＃２２０でＹｅｓ）、停止解除モジュール決定部１３３は、スリープモードの解除のトリガに応じて決定を行う（＃２２１〜＃２２９）。
【００７４】
なお、ログインの認証のためには、ユーザの識別子の入力が必要である。入力は、キーボード１０ｈによって行ってもよいし、画像形成装置１にＩＣカードリーダを設けておき、ＩＣカードから識別子をＩＣカードリーダに読み取らせることによって行ってもよい。認証の方法自体は、公知であり、例えば、予め登録されている識別子と入力された識別子とを照合するなどして行うことができる。また、ＩＣカードリーダによる識別子の読取りを、スリープモードの解除のトリガとなるイベントの１つとしてもよい。
【００７５】
ステップ＃２２１〜＃２２３の場合分けは、第一の実施形態のステップ＃２０１〜＃２０３の場合分けと同様である。
【００７６】
したがって、停止解除モジュール決定部１３３が起動した要因が、セットセンサ１０ｉｂがドキュメントフィーダ１０ｉへの原稿のセットを検知したこと、開閉センサ１０ｉａがドキュメントフィーダ１０ｉの開閉を検知したこと、およびボックスキー１０ｈａ、スキャンファックスキー１０ｈｂ、またはコピーキー１０ｈｃが押されたことのうちのいずれかである場合は（＃２２１でＹｅｓ、＃２２２でＹｅｓ、または＃２２３でＹｅｓ）、停止解除モジュール決定部１３３は、少なくともスキャナ１０ｊへの給電の停止を解除すると決定する（＃２２９）。例えば、給電の停止をすべて解除し通常モードへ復帰すると決定する。
【００７７】
起動した要因がこれらのいずれでもない場合は（＃２２１〜＃２２３のすべてでＮｏ）、停止解除モジュール決定部１３３は、原稿セットフラグ７１が「０」であれば（＃２２５でＮｏ）、スキャナ１０ｊの給電を停止したまま他のいずれかハードウェアの給電の停止を解除すると、決定する（＃２２８）。例えば、スキャナ１０ｊの給電を停止したまま他のすべてのハードウェアへの給電を再開すると、決定する。
【００７８】
原稿セットフラグ７１が「１」である場合は（＃２２５でＹｅｓ）、停止解除モジュール決定部１３３は、画像形成装置１に現在ログインしているユーザの識別子とセットユーザ識別子記憶部１４２に記憶されているセットユーザ識別子７３とを照合する（＃２２６）。
【００７９】
そして、両者が一致すれば（＃２２７でＹｅｓ）、停止解除モジュール決定部１３３は、少なくともスキャナ１０ｊへの給電の停止を解除すると決定する（＃２２９）。一方、一致しなければ（＃２２７でＮｏ）、スキャナ１０ｊの給電を停止したまま他のハードウェアの給電の停止を解除すると、決定する（＃２２８）。
【００８０】
そして、電源供給部１０ｎは、第一の実施形態の場合と同様に、決定した通りに各ハードウェアへの電力の供給が再開されるように電源供給部１０ｎを制御する。
【００８１】
第二の実施形態における画像形成装置１の全体的な処理の流れは、前に図７に示すフローチャートを用いて説明した通りである。
【００８２】
第一の実施形態および第二の実施形態によると、スリープモードからの復帰のトリガとなるイベントがスキャンに直接係るものでない場合であっても、ユーザがスキャンを伴うジョブを実行させようとしていることが予測できれば、スキャナ１０ｊへの電力の供給を再開する。よって、スリープモードからの復帰の際の電力の供給先を従来よりも適切に行うことができる。
【００８３】
第一の実施形態および第二の実施形態では、図６のステップ＃２０１および図９のステップ＃２２１において、原稿台１０ｊｄに原稿がセットされたままになっているか否かによって場合分けを行ったが、ドキュメントフィーダ１０ｉに原稿がセットされたままになっているか否かによって場合分けを行ってもよい。この場合は、原稿セットフラグ更新部１０１、１３１は、原稿がセットされているか否かがセットセンサ１０ｉｂによって検知されるごとに原稿セットフラグ７１を更新すればよい。または、原稿台１０ｊｄおよびドキュメントフィーダ１０ｉのうちのいずれか一方に原稿がセットされたままになっているか否かによって場合分けを行ってもよい。
【００８４】
第一の実施形態および第二の実施形態では、スキャンを伴うジョブをユーザが行わせようとしていると推測できる操作の例として、ドキュメントフィーダ１０ｉの開閉、所定のファンクションキーの押下、およびドキュメントフィーダ１０ｉへの原稿のセットを挙げた。また、スキャンを伴うジョブをユーザが行わせようとしているとは未だ推測できない操作の例として、テンキーの押下およびスタートキーの押下を挙げた。どの操作によってどのように推測できるかは、本発明を適用する画像処理装置のユーザインタフェースなどの仕様によって決まる。
【００８５】
その他、画像形成装置１の全体または各部の構成、処理内容、処理順序、データの構成などは、本発明の趣旨に沿って適宜変更することができる。
【符号の説明】
【００８６】
１  画像形成装置（画像処理装置）
１０ａ  ＣＰＵ（操作検知手段、給電再開制御手段）
１０ｉｂ  セットセンサ（用紙セット検知手段）
１０ｊ  スキャナ（画像読取手段）
１０ｊａ  原稿センサ（用紙セット検知手段）
１０ｎ  電源供給部（電力供給手段）
１０３、１３３  停止解除モジュール決定部（給電再開制御手段）
１２１、１４１  原稿セットフラグ記憶部（検知結果記憶手段）
１４２  セットユーザ識別子記憶部（識別子記憶手段）
【図１】
0005544966.tif 000002
【図２】
0005544966.tif 000003
【図３】
0005544966.tif 000004
【図４】
0005544966.tif 000005
【図５】
0005544966.tif 000006
【図６】
0005544966.tif 000007
【図７】
0005544966.tif 000008
【図８】
0005544966.tif 000009
【図９】
0005544966.tif 000010